(57)【要約】【課題】ユーザが要求する音環境が提供されている特定の空間の音環境を壊さずに、所定のユーザによって操作される外部装置が所定のユーザの次の操作を促す情報を取得したという取得情報を所定のユーザに伝えることが可能な通知装置を提供することを目的とする。【解決手段】ユーザの居場所が画定されており、該ユーザが要求する音環境が提供されている特定の空間に設けられる通知装置であって、所定のユーザによって操作される外部装置が、該所定のユーザの次の操作を促す情報を取得したという取得情報を検知する取得情報検知部と、前記ユーザの各々の居場所に設けられ、前記取得情報検知部が前記取得情報を検知すると、前記所定のユーザの居場所を振動させる振動部と、を備えた。【選択図】図２
2010062641.tif 000002
【特許請求の範囲】
【請求項１】
ユーザの居場所が画定されており、該ユーザが要求する音環境が提供されている特定の空間に設けられる通知装置であって、
所定のユーザによって操作される外部装置が、該所定のユーザの次の操作を促す情報を取得したという取得情報を検知する取得情報検知部と、
前記ユーザの各々の居場所に設けられ、前記取得情報検知部が前記取得情報を検知すると、前記所定のユーザの居場所を振動させる振動部と、を備える、
通知装置。
【請求項２】
前記振動部による前記所定のユーザの居場所の振動を、低周波数振動に調整する振動調整部を更に備える、
請求項１に記載の通知装置。
【請求項３】
前記振動調整部は、前記振動部による前記所定のユーザの居場所の振動を、該所定のユーザの要求に応ずる振動に調整することが可能である、
請求項２に記載の通知装置。
【請求項４】
前記振動調整部は、前記振動部による前記所定のユーザの居場所の振動を、該所定のユーザの要求に応ずる音楽を基にした振動に調整することが可能である、
請求項２に記載の通知装置。
【請求項５】
前記通知装置は、車内のユーザに所定の情報を音声で提供する車載器の一部として設けられ、
前記振動部は、前記所定のユーザが座った車内の座席を振動させる、
請求項１から４の何れか一項に記載の通知装置。
【発明の詳細な説明】
【技術分野】
【０００１】
本発明は、通知装置に関する。
【背景技術】
【０００２】
近年、携帯電話の普及により、ユーザが乗車中においても、携帯電話から着信がある場合や、メールを受信する場合が多くなってきた。しかし、カーオーディオで音楽を再生している際に、ユーザにとって携帯電話の着信音やメールの受信音等の通知音が聞き取りにくい、又は聞こえない等の問題があった。そこで、車に搭載されたハンズフリー装置を使用することによって、着信を受けた乗員が即座に着信を検知して通話することが可能な技術が開発されている（特許文献１を参照。）。
【特許文献１】特開２００５−２１８０１０号公報
【発明の開示】
【発明が解決しようとする課題】
【０００３】
従来から、カーオーディオで音楽を再生している際に、携帯電話の通知音が聞き取りにくい、又は聞こえない等の問題があり、携帯電話の通知音を車両スピーカから出力させることによって、乗員に携帯電話の着信やメールの受信を知らせる技術が開発されている。しかし、携帯電話の通知音を車両スピーカから出力させる際、カーオーディオによって再生していた音楽の音量を下げる必要があったり、携帯電話の通知音が同乗者にも聞こえてしまったりと、車内の音環境が壊され、同乗者は再生中の音楽に集中することができなかった。また、カーオーディオによって音楽が再生される車内の音環境だけでなく、ユーザが要求する音環境が提供されている特定の空間において、携帯電話の通知音等によってユーザが要求する音環境が壊されてしまうことがあった。
【０００４】
そこで、本発明では、上記した問題に鑑み、ユーザが要求する音環境が提供されている特定の空間の音環境を壊さずに、所定のユーザによって操作される外部装置が所定のユーザの次の操作を促す情報を取得したという取得情報を所定のユーザに伝えることが可能な通知装置を提供することを目的とする。
【課題を解決するための手段】
【０００５】
本発明は、上述した課題を解決するために、振動部が所定のユーザの居場所を振動させ、所定のユーザに振動を感知させることによって、取得情報を通知する点を工夫した。これにより、特定の空間の音環境を壊さない通知装置を提供することが可能である。
【０００６】
詳細には、本発明に係る通知装置は、ユーザの居場所が画定されており、該ユーザが要求する音環境が提供されている特定の空間に設けられる通知装置であって、所定のユーザによって操作される外部装置が、該所定のユーザの次の操作を促す情報を取得したという取得情報を検知する取得情報検知部と、前記ユーザの各々の居場所に設けられ、前記取得情報検知部が前記取得情報を検知すると、前記所定のユーザの居場所を振動させる振動部と、を備える。
【０００７】
本発明に係る通知装置の取得情報検知部は、外部装置が所定のユーザの次の操作を促す情報を取得したという取得情報を検知する。外部装置とは、所定のユーザによって操作される装置である。取得情報検知部は、例えば、所定のユーザが所持する携帯電話（外部装置）にメールの受信があり、メールの確認という所定のユーザの次の操作を促す情報を取得したという取得情報を検知する。次に、本発明における通知装置の振動部は、区画されているユーザの居場所に設けられ、取得情報検知部が取得情報を検知すると、所定のユー
ザの居場所を振動させる。従って、本発明に係る通知装置は、外部装置が取得情報を取得すると振動部によって所定のユーザの居場所を振動させ、所定のユーザが振動を感知することによって、音環境を壊さずに取得情報を所定のユーザのみに通知することが可能である。また、音環境が大音量であっても、確実に取得情報を所定のユーザに通知することが可能である。
【０００８】
ここで本発明に係る通知装置において、前記振動部による前記所定のユーザの居場所の振動を、低周波数振動に調整する振動調整部を更に備えてもよい。振動部による所定のユーザの居場所の振動を振動調整部が低周波数（０．１Ｈｚ〜１００Ｈｚ）の振動に調整することによって、所定のユーザが振動を感知し易く、確実に取得情報を所定のユーザに通知することが可能である。
【０００９】
また、前記振動調整部は、前記振動部による前記所定のユーザの居場所の振動を、該所定のユーザの要求に応ずる振動に調整してもよい。所定のユーザが、振動部による所定のユーザの居場所の振動を感知する際に、振動調整部が所定のユーザの要求に応ずる振動に調整することによって、所定のユーザに所定情報を分かりやすく通知することが可能である。また、特定の空間に居るユーザ全員に振動が伝わったとしても、ユーザ毎に振動が異なるように振動調整部で調整することにより、取得情報を取得した際の振動部による振動がどのユーザが調整した振動か分かり、取得情報を所定のユーザに通知することが可能である。
【００１０】
ここで本発明における振動調整部は、前記振動部による前記所定のユーザの居場所の振動を、該所定のユーザの要求に応ずる音楽を基にした振動に調整してもよい。所定のユーザが、振動部による所定のユーザの居場所の振動を感知する際に、振動調整部が所定のユーザの要求に応ずる音楽を基にした振動に調整することによって、所定のユーザに取得情報を楽しく、且つ、分かりやすく通知することが可能である。また、特定の空間に居るユーザ全員に振動が伝わったとしても、ユーザ毎に振動を調整する基となる音楽を変えることで、取得情報を取得した際の振動部による振動がどのユーザが設定した音楽を基にした振動か分かり、取得情報を所定のユーザに通知することが可能である。
【００１１】
前記通知装置は、車内のユーザに所定の情報を音声で提供する車載器の一部として設けられ、前記振動部は、前記所定のユーザが座った車内の座席を振動させてもよい。本発明に係る通知装置が車載器の一部として設けられ、所定の乗員の座席を振動させることにより、所定の乗員に振動を感知させ、車内の音環境を壊さずに取得情報を所定の乗員のみに通知することが可能である。尚、車載器は、走行中の自動車の現在位置や進行方向などの情報を運転者に知らせるカーナビゲーションシステム機能や、音楽を再生して車内に音楽環境を提供するオーディオ機能等を有する。また、車内が大音量の音環境であっても、所定の乗員に振動を感知させることによって、確実に取得情報を所定の乗員に通知することが可能である。
【発明の効果】
【００１２】
ユーザが要求する音環境が提供されている特定の空間の音環境を壊さずに、所定のユーザによって操作される外部装置が所定のユーザの次の操作を促す情報を取得したという取得情報を所定のユーザに伝えることが可能な通知装置を提供することを目的とする。
【発明を実施するための最良の形態】
【００１３】
ここで、本発明に係る通知装置の実施の形態について図面に基づいて説明する。以下に示す実施例は例示であり、本発明はこれらに限定されるものではない。
【実施例１】
【００１４】
図１は、本発明の実施例１の通知装置１が設けられた車内２を示す上面概略図である。まず、実施例１の概要について説明する。図１に示すように、本発明の実施例１の車内２においては、座席Ａ、Ｂ、Ｃ、Ｄが存在し、座席Ａには乗員ａが着席し、座席Ｂには乗員ｂが着席し、座席Ｃには乗員ｃが着席し、座席Ｄには乗員ｄが着席するものとする。また、通知装置１のユーザは乗員ａ、ｂ、ｃ、ｄとし、外部装置は乗員が各々所持する携帯電話とする。また、本発明の実施例１における取得情報とは、所定の乗員が所持する携帯電話にメールの受信がある場合や、所定の乗員が所持する携帯電話に着信がある場合に、携帯電話の確認という次の操作を促す情報を取得したという取得情報である。また、本発明の実施例１における所定の乗員とは、所持する携帯電話に取得情報があった乗員のことである。本発明の実施例１に係る通知装置１は、乗員ａの携帯電話に取得情報があった際、座席Ａの領域Ｘを振動させ、乗員ａに振動を感知させることによって、取得情報を乗員ａに確実に通知することが可能である。同様に、乗員ｂ、乗員ｃ、乗員ｄの携帯電話に取得情報があった際は、座席Ｂの領域Ｙ、座席Ｃの領域Ｚ、座席Ｄの領域Ｏを各々振動させ、各々の乗員に振動を感知させることによって、取得情報を各々の乗員に通知することが可能である。また、所定の乗員が所持する携帯電話に着信があった場合、通知装置１が所定の乗員に取得情報を通知後、所定の乗員が携帯電話に出た際は、ハンズフリー装置によって所定の乗員から最も近いスピーカ１０によって話し相手の声を出力させ、マイク（不図示）に自分の声を入力することが可能である。尚、運転走行中の運転手の携帯電話の使用は法律で禁止されている。また、通知装置１は、乗員に所定の情報を音声で提供する車載器４の一部として設けられる。本発明の実施例１では、音楽を再生して車内に音楽環境を提供するカーオーディオ４７を車載器４として用いることとする。
【００１５】
図２は、本発明の実施例１の通知装置１における機能ブロック図である。図３は、本発明の実施例１の通知装置１における通知装置制御部６の機能ブロック図である。以下、具体的に本発明の実施例１に係る通知装置１の各構成について具体的に説明する。
【００１６】
携帯電話３は、乗員ａ、ｂ、ｃ、ｄによって異なる電話番号を有し、各々の乗員に所持される。カーオーディオ４７は、図３に示すように、取得情報検知部４１と、信号受信部４６と、乗員情報入力部４２と、振動情報入力部４３と、表示部４４と、通話検知部４５とを有する。取得情報検知部４１は、乗員が所持する携帯電話３に着信やメールの受信等の携帯電話３の確認という次の操作を促す情報を取得したという取得情報を検知する。信号受信部４６は、取得情報検知部４１が取得情報を検知した際に、携帯電話３から電気信号を受信する。乗員情報入力部４２は、乗員ａ、ｂ、ｃ、ｄが所持する携帯電話番号と、どの乗員がどの座席に座るかという座席情報との乗員情報が入力される。例えば、乗員は、携帯電話３が有するＩＣカードなどの記録媒体に格納された携帯電話番号をBluetoothによって乗員情報入力部４２に入力することが可能である。振動情報入力部４３は、振動子８（振動部）が座席を振動させる振動情報が入力される。例えば、所定の乗員の要求に応ずる振動情報や、所定の乗員の要求に応ずる音楽を基にした振動情報が振動情報入力部４３に入力される。表示部４４は、各々の乗員の乗員情報と振動情報をカーオーディオ４７に備え付けられたディスプレイ（不図示）に表示する。図４は、表示部４４が表示する一例である。座席Ａ（図１参照。）に座る乗員ａの電話番号は、０９０−１１１１−１１１１であり、（１）の振動情報によって座席Ａを振動させる。座席Ｂに座る乗員ｂの電話番号は、０９０−２２２２−２２２２であり（２）の振動情報によって座席Ｂを振動させる。座席Ｃに座る乗員ｃの電話番号は、０９０−３３３３−３３３３であり（３）の振動情報によって座席Ｃを振動させる。座席Ｄに座る乗員ｄの電話番号は、０９０−４４４４−４４４４であり（４）の振動情報によって座席Ｄを振動させる。尚、振動情報については後述する。通話検知部４５は、所定の乗員に取得情報を通知した後、所定の乗員が携帯電話３に出た際に、通話を検知する。
【００１７】
ハンズフリー／通知装置切替部５は、通話検知部４５が通話を検知すると、通知装置１
からハンズフリー装置へ切り替える。また、取得情報を所定の乗員に伝える際に、通知装置１を用いずハンズフリー装置を用いて、スピーカ１０から通知音を出力することによって乗員に取得情報を知らせてもよく、適宜乗員の要求する状態に設定することが可能である。
【００１８】
通知装置制御部６は、振動調整部６１と、振動情報取得部６３と、振動加工部６２と、乗員情報取得部６４と、振動座席特定部６５と、振動情報特定部６６を有する。先ず、振動調整部６１について説明する。振動調整部６１は、信号受信部４６が受信した携帯電話３の電気信号を１００Ｈｚの低周波数に調整する。尚、携帯電話３の電気信号は通常人間の耳に聞こえやすい２ｋＨｚから４ｋＨｚ程度である。携帯電話３の周波数を低周波数にすることで、所定の乗員に振動を確実に感知させ、取得情報を所定の乗員に伝えることが可能である。また、振動調整部６１は、１００Ｈｚの低周波数に調整した振動情報を、乗員の要求に応ずる振動にするための振動情報に調整することが可能である。乗員の要求に応ずる振動は、振動情報入力部４３から入力される。図５ａから図５ｃは、振動情報の例である。図５ａに示す振動情報（１）は、振動が段々強くなる振動情報である。図５ｂに示す振動情報（２）は、振動が段々強くなる振動情報（１）を繰り返す振動情報である。図５ｃに示す振動情報（３）は、振動の強さは一定であるが、振動の間隔が異なる振動情報である。
【００１９】
更に、振動調整部６１は、乗員の要求に応ずる音楽を基にした振動情報に調整することが可能である。乗員の要求に応ずる音楽は、携帯電話３が有するＩＣカードなどの記録媒体に格納された音楽情報をBluetooth等によって振動情報入力部４３へ入力することが可能である。振動調整部６１が乗員の要求に応ずる音楽を基にした振動情報に調整することによって、乗員に取得情報を楽しく、且つ、分かりやすく通知することが可能である。図６ａから図６ｃは、音楽を基にした振動情報（４）から振動情報（６）の一例である。また、乗員全員に振動が伝わったとしても、乗員毎に振動を調整する基となる音楽を変えることで、取得情報を取得した際の振動子８による振動がどの乗員が設定した音楽を基にした振動か分かり、取得情報を所定の乗員に通知することが可能である。
【００２０】
次に、振動加工部６２は、周波数を加工するイコライザと、音圧を調整するコンプレッサにより、振動調整部６１で調整された振動情報を加工することによって、座席の振動を加工することが可能である。乗員全員が振動調整部６１において同じ音楽を基にした振動情報に調整した場合であっても、振動加工部６２において振動情報を乗員毎に異なるように加工することによって、乗員全員に振動が伝わっても誰が設定した振動か分かり、所定の乗員に取得情報を通知することが可能である。
【００２１】
振動情報取得部６３は、振動情報入力部４３で入力された振動情報を取得し、振動調整部６１で調整された振動情報、振動加工部６２で加工された振動情報を取得する。また、振動情報取得部６３は座席毎に振動情報を取得し、振動情報取得部６３が取得した情報を表示部４４によって表示することが可能である（図４参照）。
【００２２】
乗員情報取得部６４は、乗員情報入力部４２で入力された、乗員ａ、ｂ、ｃ、ｄが所有する携帯電話番号や、どの乗員がどの座席に座るかという乗員情報を取得する。また、乗員情報取得部６４が取得した乗員情報を表示部４４によって表示することが可能である（図４参照）。
【００２３】
振動座席特定部６５は、取得情報検知部４１で検知された情報と、信号受信部４６で受信された電気信号と、乗員情報取得部６４で取得された乗員情報を基に、どの座席を振動させるのか特定する。つまり、振動座席特定部６５は、通知があった携帯電話３の電気信号を基に、通知があった携帯電話３を所持する所定の乗員がどの座席に座っているかを特
定する。
【００２４】
振動情報特定部６６は、振動情報取得部６３で取得された振動情報を基に、振動座席特定部６５で特定された座席の振動情報を特定する。その結果、特定された座席に座る所定の乗員の要求に応ずる振動を提供することが可能である。
【００２５】
その他に、本発明の実施例１に係る通知装置１は、アンプ７と振動子８を備える。アンプ７は、通知装置制御部６から送られてくる電気信号を増幅する。振動子８は、座席の下に設けられ（図２参照。）、座席を振動させ、所定の乗員に振動を感知させる。
【００２６】
また、ハンズフリー装置は、スピーカ１０とマイク１１を備える。スピーカ１０は、各々の乗員が座る座席の近くに設けられる（図１を参照。）。スピーカ１０は、カーオーディオ４７によって再生される音楽を車内２に出力するだけでなく、所定の乗員が携帯電話３に出た際に、通話検知部４５が通話を検知した場合、携帯電話３の話し相手の声を出力することが可能です。また、マイク１１は乗員の前方向に各々設けられ、マイク１１に乗員の声を入力することが可能です。その結果、ハンズフリー装置によって乗員が携帯電話３を手で持たずに通話をすることが可能である。
【００２７】
図７は、実施例１の通知装置１における制御フロー図である。図３に示す機能ブロック図を参照しながら、以下具体的に通知装置１について説明する。
【００２８】
ステップＳ０１では、乗員情報取得部６４が乗員情報入力部４２に入力された乗員情報を取得する。乗員情報取得部６４は、乗員ａが座席Ａに座り、乗員ａが所有する携帯電話番号が０９０−１１１１−１１１１である場合、座席Ａに対応する携帯電話番号が０９０−１１１１−１１１１だという情報を取得する（図４参照）。他の乗員の乗員情報も同様に取得する。乗員情報の取得が完了するとステップＳ０２へ進む。
【００２９】
ステップＳ０２では、振動情報取得部６３が、振動情報入力部４３に入力された振動情報を取得する。更に、振動情報取得部６３は、振動情報入力部４３に入力された振動情報を基に、信号受信部４６が受信した電気信号を振動調整部６１で調整した振動情報と、振動加工部６２で加工された振動情報を取得する。振動調整部６１によって、乗員が感知し易い振動情報、乗員各々の要求に応ずる振動情報、乗員各々の要求に応ずる音楽を基にした振動情報に調整することが可能である。また、振動加工部６２によって振動情報の周波数や音圧を加工することが可能である。振動情報の取得が完了するとステップＳ０３へ進む。
【００３０】
ステップＳ０３では、カーオーディオ４７が有する取得情報検知部４１が取得情報を検知する。取得情報は、所定の乗員が所持する携帯電話３にメールの受信がある場合や、所定の乗員が所持する携帯電話３に着信がある場合に、携帯電話３の確認という次の操作を促す情報を取得したという取得情報である。取得情報の検知が完了するとステップＳ０４へ進む。
【００３１】
ステップＳ０４では、振動座席特定部６５が振動させる座席を特定する。振動座席特定部６５は、乗員情報取得部６４で取得した乗員情報を基に、取得情報検知部４１で取得情報があると検知した携帯電話３に対応する座席を特定する。例えば、取得情報検知部４１が検知した携帯電話番号が、０９０−２２２２−２２２２であった場合、その電話番号に対応する座席を座席Ｂと特定する（図４参照。）。振動させる座席の特定が完了するとステップＳ０５へ進む。
【００３２】
ステップＳ０５では、振動情報特定部６６が振動させる振動情報を特定する。振動情報
特定部６６は、振動情報取得部６３で取得した振動情報を基に、振動座席特定部６５で特定された座席に対応する振動情報を特定する。例えば、振動座席特定部６５で特定された座席Ｂに対応する振動情報は振動情報（２）であると特定する（図４を参照。）。振動情報の特定が完了するとステップＳ０６へ進む。
【００３３】
ステップＳ０６では、振動子８が特定の座席を特定の振動情報によって振動させる。振動子８は、振動情報特定部６６で特定されアンプ７によって信号が増幅された振動情報を基に、振動座席特定部６５によって特定された座席を振動させる。例えば、座席Ｂを振動情報（２）を基に振動させ、乗員ｂに振動を感知させ、乗員ｂに取得情報を通知する。特定の座席の振動が完了するとステップＳ０７へ進む。
【００３４】
ステップＳ０７では、カーオーディオ４７が有する通話検知部４５が、所定の乗員が携帯電話３に出た際に、通知を検知する。通知を検知した場合は、ステップＳ０８へ進む。通知を検知していない場合はＥＮＤへ進む。
【００３５】
ステップＳ０８では、通話検知部４５が通知を検知した場合、ハンズフリー／通知装置切替部５が通知装置１からハンズフリー装置に切り替え、スピーカ１０に携帯電話３の話し相手の声を出力する。また、乗員の声をマイク１１に入力し、話し相手に所定の乗員の声を伝える。
【００３６】
以上により、本発明の実施例１の通知装置１は、乗員が要求する音環境が提供されている車内２の音環境を壊さずに、所定の乗員が所持する携帯電話３に着信もしくはメールの受信があったという取得情報を所定の乗員に伝えることが可能です。
【実施例２】
【００３７】
走行中の自動車の現在位置や進行方向などの情報を運転者に知らせるカーナビゲーションシステム４８が地図情報プログラム等を更新する際に、乗員は、更新が完了するまではカーナビゲーションシステム４８を操作することが出来ない。そこで、実施例２における通知装置１は、車載器４と外部装置をカーナビゲーションシステム４８とし、カーナビゲーションシステム４８の地図情報プログラム等の更新が完了し、カーナビゲーションシステム４８の操作を促す情報を取得したという取得情報を、所定の乗員の座席を振動させ、所定の乗員に振動を感知させることによって、所定の乗員に通知することが可能である。本発明の実施例２における取得情報とは、カーナビゲーションシステム４８の地図情報プログラム等の更新が完了し、カーナビゲーションシステム４８の操作を促す情報を取得したという情報である。
【００３８】
図８は、本発明の実施例２の通知装置１のおける通知装置制御部６の機能ブロック図である。実施例２の機能ブロック図は、実施例１の機能ブロック図と比較すると、通話検知部４５と、信号受信部４６と、ハンズフリー／通知装置切替部５と、ハンズフリー装置制御部９と、スピーカ１０と、マイク１１を有さない構成である。以下、実施例１と異なる構成を中心に、本発明の実施例２の通知装置１を説明する。
【００３９】
カーナビゲーションシステム４８は、取得情報検知部４１と、乗員情報入力部４２と、振動情報入力部４３と、表示部４４とを有する。取得情報検知部４１は、カーナビゲーションシステム４８の地図情報プログラム等の更新が完了し、カーナビゲーションシステム４８の操作を促す情報を取得したという情報である。乗員情報入力部４２は、カーナビゲーションシステム４８が取得情報を取得した際に、どの座席を振動させるかという乗員情報が入力される。例えば、座席Ｂを振動させ、座席Ｂに座る乗員ｂに振動を感知させることによって、取得情報を乗員ｂに通知することが可能である。振動情報入力部４３は、振動子８が座席を振動させる振動情報が入力される。例えば、乗員ｂが、振動情報（２）（
図５ｂを参照。）を入力したとする。表示部４４は、乗員情報と振動情報をカーナビゲーションシステム４８に備えつけられたディスプレイ（不図示）に表示する。図９は、表示部４４が表示する一例である。尚、本発明の実施例２の通知装置１における通知装置制御部６は、実施例１と同様の構成であるため省略する。また、本発明の実施例２の通知装置１における制御フローは、実施例１の通知装置１における制御フローのステップＳ０１からステップＳ０６である。従って、実施例２における制御フローの説明を省略する。
【００４０】
以上により、本発明の実施例２における通知装置１は、車に搭載されたカーナビゲーションシステム４８の地図情報プログラム等を更新する際に、カーナビゲーションシステム４８の地図情報プログラム等の更新が完了し、カーナビゲーションシステム４８の操作を促す情報を取得したという取得情報を、所定の乗員が座る座席を振動させることによって、所定の乗員に振動を感知させ、取得情報を通知することが可能である。また、本発明の実施例２における通知装置１は、車内２の音環境を邪魔することなく通知することが可能である。
【実施例３】
【００４１】
本発明の実施例３の通知装置１は、ホームシアターが設置してある一室に設けられてもよい。ホームシアターが設置してある一室には複数の座席が備えられ、映画鑑賞者が座席に座るものとする。実施例３の通知装置１における外部装置は、映画鑑賞者が各々有する携帯電話３とする。また、実施例３における取得情報とは、映画鑑賞者が所持する携帯電話３にメールの受信があった場合や、着信があった場合に、携帯電話３の確認を促す情報を取得したという情報とする。
【００４２】
本発明の実施例３における通知装置１は、実施例１における通知装置１と同様の構成である。振動子８は映画鑑賞者の座席に設けられる。通知装置１は、所定の映画鑑賞者が所持する携帯電話３に取得情報があった際、所定の映画鑑賞者の座席を振動させることによって、振動を所定の映画鑑賞者に感知させ、取得情報を所定の映画鑑賞者に通知することが可能である。その結果、ホームシアターが設置してある一室の音環境を壊さずに、所定の映画鑑賞者は取得情報を確実に知ることが可能である。
【図面の簡単な説明】
【００４３】
【図１】実施例１の通知装置が設けられた車内を示す上面概略図である。
【図２】実施例１の通知装置における機能ブロック図である。
【図３】実施例１の通知装置における通知装置制御部の機能ブロック図である。
【図４】実施例１の通知装置の表示部である。
【図５ａ】実施例１の通知装置において、振動が段々強くなる振動情報（１）を示す図である。
【図５ｂ】実施例１の通知装置において、図５ａに示した振動情報（１）を繰り返す振動情報（２）を示す図である。
【図５ｃ】実施例１の通知装置において、振動の強さは一定であるが、振動の間隔が異なる振動情報（３）を示す図である。
【図６ａ】実施例１の通知装置において、音楽を基にした振動情報（４）を示す図である。
【図６ｂ】実施例１の通知装置において、音楽を基にした振動情報（５）を示す図である。
【図６ｃ】実施例１の通知装置において、音楽を基にした振動情報（６）を示す図である。
【図７】実施例１の通知装置の制御フロー図である。
【図８】実施例２の通知装置における通知制御装置部の機能ブロック部である。
【図９】実施例２の通知装置の表示部である。
【符号の説明】
【００４４】
通知装置・・・１
車内・・・２
携帯電話・・・３
車載器・・・４
取得情報検知部・・・４１
乗員情報入力部・・・４２
振動情報入力部・・・４３
表示部・・・４４
通話検知部・・・４５
信号受信部・・・４６
カーオーディオ・・・４７
カーナビゲーションシステム・・・４８
ハンズフリー／通知装置切替部・・・５
通知装置制御部・・・６
振動調整部・・・６１
振動加工部・・・６２
振動情報取得部・・・６３
乗員情報取得部・・・６４
振動座席特定部・・・６５
振動情報特定部・・・６６
アンプ・・・７
振動子・・・８
ハンズフリー装置制御部・・・９
スピーカ・・・１０
マイク・・・１１
【図１】
2010062641.tif 000003
【図２】
2010062641.tif 000004
【図３】
2010062641.tif 000005
【図４】
2010062641.tif 000006
【図５ａ】
2010062641.tif 000007
【図５ｂ】
2010062641.tif 000008
【図５ｃ】
2010062641.tif 000009
【図６ａ】
2010062641.tif 000010
【図６ｂ】
2010062641.tif 000011
【図６ｃ】
2010062641.tif 000012
【図７】
2010062641.tif 000013
【図８】
2010062641.tif 000014
【図９】
2010062641.tif 000015